【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
ウォータークラフトの駆動システム用プレノズル（１０ａ、１０ｂ、１０ｃ）であって、前記プレノズル（１０ａ、１０ｂ、１０ｃ）は水入口開口（１２）および水出口開口（１３）を備え、フィンシステム（１４）が前記プレノズル（１０ａ、１０ｂ、１０ｃ）の内側に配置され、前記フィンシステム（１４）は前記プレノズル（１０ａ、１０ｂ、１０ｃ）の入口領域には配置されず、プロペラは前記プレノズル（１０ａ、１０ｂ、１０ｃ）の内側に配置されず、前記プレノズル（１０ａ、１０ｂ、１０ｃ）は回転非対称になるように構成され、
前記プレノズル（１０ａ、１０ｂ、１０ｃ）は、前記プレノズル（１０ａ、１０ｂ、１０ｃ）の上側輪郭線（２３）と回転軸（１８）との間に上側輪郭角度（２８）を有し、かつ／または前記プレノズル（１０ａ、１０ｂ、１０ｃ）は、前記プレノズル（１０ａ、１０ｂ、１０ｃ）の前記回転軸（１８）と下側輪郭線（２４）との間に下側輪郭角度（２９）を有し、前記プレノズル（１０ａ、１０ｂ、１０ｃ）の前記上側および前記下側輪郭線（２３、２４）の間の前記プレノズル（１０ａ、１０ｂ、１０ｃ）の開口角（３０）は、前記上側輪郭角度（２８）の２倍よりも大きいか、または前記下側輪郭角度（２９）の２倍よりも大きいことを特徴とする、ウォータークラフトの駆動システム用プレノズル（１０ａ、１０ｂ、１０ｃ）。
【請求項２】
前記プレノズル（１０ａ、１０ｂ、１０ｃ）の水入口開口（１２）は、水流入を改善するために下方および／または上方に拡大されることを特徴とする、請求項１に記載のプレノズル。
【請求項３】
前記プレノズル（１０ａ、１０ｂ、１０ｃ）の前記水入口開口（１２）および前記水出口開口（１３）の開口領域（１９、２０）は、各々が前記プレノズル（１０ａ、１０ｂ、１０ｃ）のノズル本体（１１）の前縁部（３１、３２）によって囲まれ、前記２つの囲まれた開口領域（１９、２０）の少なくとも一方は、前記上側輪郭線（２３）と前記下側輪郭線（２４）の間が水平方向よりも大きい長さを有することを特徴とする、請求項１または２のいずれか１項に記載のプレノズル。
【請求項４】
前記プレノズル（１０ａ、１０ｂ、１０ｃ）の前記水入口側開口領域（１９）は、同じ中心半径を有する回転対称プレノズルの水入口側開口領域よりも大きいことを特徴とする、請求項３に記載のプレノズル。
【請求項５】
前記プレノズル（１０ａ、１０ｂ、１０ｃ）は、ウォータークラフトのプロペラ軸（４１）を少なくとも部分的に囲むことを特徴とする、請求項１〜４のいずれか１項に記載のプレノズル。
【請求項６】
前記プレノズル（１０ａ、１０ｂ、１０ｃ）の前記水入口開口（１２）および前記水出口開口（１３）の前記開口領域（１９、２０）は、各々が前記プレノズル（１０ａ、１０ｂ、１０ｃ）のノズル本体（１１）の前縁部（３１、３２）によって囲まれ、前記プレノズル（１０ａ、１０ｂ、１０ｃ）の前記２つの開口領域（１９、２０）は、少なくとも部分的に互いに平行でないことを特徴とする、請求項３に記載のプレノズル、又は請求項３を引用する請求項４もしくは５に記載のプレノズル。
【請求項７】
前記プレノズル（１０ａ、１０ｂ、１０ｃ）は、一定ではなくかつ前記プレノズル（１０ａ、１０ｂ、１０ｃ）の下側領域よりも上側領域が大きい輪郭長さ（２１、２２）を有することを特徴とする、請求項１〜６のいずれか１項に記載のプレノズル。
【請求項８】
前記プレノズル（１０ａ、１０ｂ、１０ｃ）は、一定ではなくかつ前記プレノズル（１０ａ、１０ｂ、１０ｃ）の下側領域よりも回転軸（１８）の領域が大きい輪郭長さ（２１、２２）を有することを特徴とする、請求項１〜６のいずれか１項に記載のプレノズル。
【請求項９】
前記プレノズル（１０ａ、１０ｂ、１０ｃ）の前記輪郭長さ（２１、２２）は、少なくとも１つの領域内で、最上部から最下部まで見て、前記下側領域内で、連続的に減少することを特徴とする、請求項７又は８に記載のプレノズル。
【請求項１０】
前記プレノズル（１０ａ、１０ｂ、１０ｃ）の前記水入口開口（１２）および前記水出口開口（１３）の前記開口領域（１９、２０）は、各々が前記プレノズル（１０ａ、１０ｂ、１０ｃ）のノズル本体（１１）の前縁部（３１、３２）によって囲まれ、前記プレノズル（１０ａ、１０ｂ、１０ｃ）の前記水入口側開口領域（１９）は、前記プレノズル（１０ａ、１０ｂ、１０ｃ）の断面領域（３４）に対して少なくとも１つの交差角（２７）を有することを特徴とする、請求項３に記載のプレノズル、又は請求項３を引用する請求項４〜９のいずれか１項に記載のプレノズル。
【請求項１１】
前記交差角（２７）は一定であり、少なくとも１つの領域において０°よりも大きいことを特徴とする、請求項１０に記載のプレノズル。
【請求項１２】
前記プレノズル（１０ａ、１０ｂ、１０ｃ）の上側および下側輪郭線（２３、２４）の間の前記プレノズル（１０ａ、１０ｂ、１０ｃ）の前記開口角（３０）は、前記上側輪郭角度（２８）と前記交差角（２７）の２倍の和、または前記下側輪郭角度（２９）と前記交差角（２７）の２倍の和に対応することを特徴とする、請求項１０又は１１に記載のプレノズル。
【請求項１３】
前記下側輪郭角度（２９）は、前記上側輪郭角度（２８）よりも大きいことを特徴とする、請求項１〜１２のいずれか１項に記載のプレノズル。
【請求項１４】
前記プレノズル（１０ａ、１０ｂ、１０ｃ）の前記水入口側開口領域（１９）は、曲げられているか湾曲しており、互いにある角度（３６）にある少なくとも２つの平面にわたって形成され、前記角度（３６）は、９０°よりも大きく１８０°よりも小さいことを特徴とする、請求項３に記載のプレノズル、又は請求項３を引用し請求項１１を引用しない請求項４〜１０、１２、もしくは１３のいずれか１項に記載のプレノズル。
【請求項１５】
前記プレノズル（１０ａ、１０ｂ、１０ｃ）の上側および下側輪郭線（２３、２４）の間の前記プレノズル（１０ａ、１０ｂ、１０ｃ）の前記輪郭長さ（２１、２２）は、上部から下部まで連続的に減少することを特徴とする、請求項９に記載のプレノズル、又は請求項９を引用する請求項１０〜１４のいずれか１項に記載のプレノズル。
【請求項１６】
前記交差角（２７）の値は一定であることを特徴とする、請求項１０に記載のプレノズル、又は請求項１０を引用し請求項１４を引用しない請求項１１〜１３もしくは１５のいずれか１項に記載のプレノズル。
【請求項１７】
前記プレノズル（１０ｃ）は一定の輪郭長さ（２１、２２）を有し、したがって、前記輪郭長さ（２１、２２）は、前記プレノズル（１０ｃ）の全領域において同じであることを特徴とする、請求項１〜５のいずれか１項に記載のプレノズル。
【請求項１８】
断面で見たときの前記プレノズル（１０ａ、１０ｂ、１０ｃ）の被覆は、前記プレノズル（１０ａ、１０ｂ、１０ｃ）の全長にわたって、２つの直線部（３７、３８）を備えることを特徴とする、請求項１〜１７のいずれか１項に記載のプレノズル。
【請求項１９】
断面図における前記直線部（３７、３８）は、複数の弓形部を相互接続することを特徴とする、請求項１８に記載のプレノズル。
【請求項２０】
断面図における前記直線部（３７、３８）は、２つの弓形部（３９、４０）を相互接続することを特徴とする、請求項１８に記載のプレノズル。
【請求項２１】
前記直線部（３７、３８）は、前記プレノズル（１０）の側部領域において、互いに向い合って配置されることを特徴とする、請求項１８〜２０のいずれか１項に記載のプレノズル。
【請求項２２】
垂直方向における前記プレノズル（１０ａ、１０ｂ、１０ｃ）の少なくとも１つの開口領域（１９、２０）の最大長さと前記プレノズル（１０）の平均輪郭長さとの比は、１．５：１〜４：１であることを特徴とする、請求項１〜２１のいずれか１項に記載のプレノズル。
【請求項２３】
垂直方向における前記プレノズル（１０ａ、１０ｂ、１０ｃ）の少なくとも１つの開口領域（１９、２０）の最大長さと前記プレノズル（１０）の平均輪郭長さとの比は、１．７５：１〜３：１であることを特徴とする、請求項１〜２１のいずれか１項に記載のプレノズル。
【請求項２４】
垂直方向における前記プレノズル（１０ａ、１０ｂ、１０ｃ）の少なくとも１つの開口領域（１９、２０）の最大長さと前記プレノズル（１０）の平均輪郭長さとの比は、１．７５：１〜２．５：１であることを特徴とする、請求項１〜２１のいずれか１項に記載のプレノズル。